(57)【要約】【課題】    屋根等の上面の防水シートを支柱等の貫通部材が貫通する構造において、その貫通部における防水性能を高めるとともに、施工性を向上させることができる防水構造を提供する。【解決手段】  支柱等の貫通部材(２)を、屋根若しくは床の上面に敷設された防水シート(14)を貫通させて設け、その防水シート(14)上面より上側の露出部分において貫通部材(２)外周面を筒状の防水部(26)(31)で覆う構造において、その筒状防水部(31)が下方へずれるのを防止する位置決め部(32)を、筒状防水部(31)の周壁上端部より内方に向かって突設して、貫通部材(２)の上端面に載置させる。【選択図】  図１
2005213921.tif 000002
【特許請求の範囲】
【請求項１】
支柱等の貫通部材が、屋根若しくは床の上面に敷設された防水シートを貫通して設けられ、その防水シート上面より上側の露出部分において貫通部材外周面が筒状の防水部に覆われた構造であって、その筒状防水部が下方へずれるのを防止する位置決め部が、筒状防水部の周壁上端部より内方に向かって突設されて、貫通部材の上端面に載置されてなることを特徴とする防水シートを貫通する支柱等の貫通部材の防水構造。
【請求項２】
前記位置決め部は、筒状防水部上端より内向きにフランジ状に突出して形成されている請求項１記載の防水シートを貫通する支柱等の貫通部材の防水構造。
【請求項３】
貫通部材の上方に配置されたシール受け面と貫通部材上端面との間の間隙に、シーリング材が充填されてなる請求項１又は２記載の防水シートを貫通する支柱等の貫通部材の防水構造。
【請求項４】
前記筒状防水部は、前記防水シート上面より立ち上がる下側筒状防水部と、その下側筒状防水部の少なくとも上端部に外嵌される上側筒状防水部とからなっている請求項１乃至３のいずれかに記載の防水シートを貫通する支柱等の貫通部材の防水構造。
【請求項５】
前記筒状防水部の周壁下端より外方に向かって張り出すフランジ部の下面が、前記防水シートの上面に載置されてなる請求項１乃至４のいずれかに記載の防水シートを貫通する支柱等の貫通部材の防水構造。
【請求項６】
前記上側筒状防水部と前記位置決め部とが一体に形成されている請求項４又は５記載の防水シートを貫通する支柱等の貫通部材の防水構造。
【請求項７】
前記下側筒状防水部と前記フランジ部とが一体に形成されている請求項５又は６記載の防水シートを貫通する支柱等の貫通部材の防水構造。
【請求項８】
アンテナ支線等を取り付けるための取付金具、バルコニー等の控え柱、又は各種架台の柱脚その他の部材が立設された基台が、貫通部材の上端面に連結されるか又は一体に設けられており、その基台下面が前記シール受け面とされている請求項３乃至７のいずれかに記載の防水シートを貫通する支柱等の貫通部材の防水構造。
【発明の詳細な説明】
【技術分野】
【０００１】
この発明は、陸屋根又はバルコニー床等の上面に防水シートが敷設された陸屋根住宅等において、防水シートを貫通して設置された各種支柱等の防水構造に関する。
【背景技術】
【０００２】
従来より、陸屋根又は屋上バルコニーの床などを、支柱等の貫通部材が貫通して設置されることがある。そのようにして設置される支柱の例としては、アンテナ設置用のアンテナ支線を取り付けるための支柱、バルコニーの控え柱を立てるための支柱、屋上に登るための梯子の一端を固定するための支柱、太陽光発電パネル等の架台の柱脚を立てるための支柱、又はメンテナンス作業時の命綱を取り付けるための支柱などが挙げられる。
【０００３】
ここで、屋根又は床の上面に塩化ビニル樹脂などからなる防水シートが敷設されている場合は、上記の各種支柱等は防水シートを貫通することとなるため、その貫通部の水密性を確保するために何らかの防水処理を施す必要がある。
【０００４】
例えば、図７には、そのような防水シートの貫通部における従来の防水構造を示している。この従来例においては、アンテナ支線を取り付けるための支柱(51)が、陸屋根上面に敷設された防水シート(14)を貫通して設置されている。そして、円筒状の支柱本体(52)の貫通部には、円筒状の筒状防水部(56)とその筒状防水部(56)の周壁下端より外方に向かって張り出すフランジ部(57)とからなる防水部材(55)が設置されている。すなわち、防水部材(55)の筒状防水部(56)を支柱本体(52)に外嵌させることにより、支柱本体(２)外周面の露出部分を筒状防水部(56)で覆うとともに、フランジ部(57)下面を防水シート(14)の上面に載置した状態で溶着等により固定する。
【０００５】
この防水部材(55)は、防水シート(14)と同様の材質のものを材料として現場で加工して成形されており、材料の接合部分は防水施工業者によって溶着等の止水処理がなされている。さらに、筒状防水部(56)の外周面上端部と支柱本体(52)の上端に連結された基台(53)下面とに跨ってシーリング材(60)を付着することにより、支柱本体(52)の貫通部の水密性を確保するようにしている。
【０００６】
なお、特許文献１には、メンテナンス作業時の命綱を取り付けるための支柱について、図７と同様の防水構造が開示されている。
【０００７】
【特許文献１】特開２００２−２５６６６６号公報
【発明の開示】
【発明が解決しようとする課題】
【０００８】
しかし、図７に示す防水部材(55)は経年によって収縮するため、筒状防水部(56)の上端高さが次第に低くなってしまい、それに伴って、筒状防水部(56)上端部に付着されたシーリング材(60)が、下方へ引っ張られて切れ目が発生しやすくなってしまう。また、シーリング材(60)は、その断面形状が三角形状となるような状態で施工されているため、防水部材(55)の収縮に関わらず切れ目が生じやすくなっており、シーリング部分の防水性能を改善する必要があった。
【０００９】
さらに、防水部材(55)は、上記のように現場加工によって成形する必要があるため施工性が悪く、その現場加工における接合部分の防水性能は、防水施工業者の技量に委ねざるを得なかった。
【００１０】
そこで、この発明は、上記の不具合を解消して、屋根等の上面の防水シートを支柱等の貫通部材が貫通する構造において、その貫通部における防水性能を高めるとともに、施工性を向上させることができる防水構造を提供することを目的とする。
【課題を解決するための手段】
【００１１】
上記の課題を解決するため、この発明の防水構造は、支柱等の貫通部材が、屋根若しくは床の上面に敷設された防水シートを貫通して設けられ、その防水シート上面より上側の露出部分において貫通部材外周面が筒状の防水部に覆われた構造であって、その筒状防水部が下方へずれるのを防止する位置決め部が、筒状防水部の周壁上端部より内方に向かって突設されて、貫通部材の上端面に載置されてなることを特徴とする。
【００１２】
また、前記位置決め部は、筒状防水部上端より内向きにフランジ状に突出して形成されている。
【００１３】
さらに、貫通部材の上方に配置されたシール受け面と貫通部材上端面との間の間隙に、シーリング材が充填されてなる。
【００１４】
またさらに、前記筒状防水部は、前記防水シート上面より立ち上がる下側筒状防水部と、その下側筒状防水部の少なくとも上端部に外嵌される上側筒状防水部とからなっている。
【００１５】
また、前記筒状防水部の周壁下端より外方に向かって張り出すフランジ部の下面が、前記防水シートの上面に載置されてなる。
【００１６】
さらに、前記上側筒状防水部と前記位置決め部とが一体に形成されている。またさらに、前記下側筒状防水部と前記フランジ部とが一体に形成されている。
【００１７】
加えて、アンテナ支線等を取り付けるための取付金具、バルコニー等の控え柱、又は各種架台の柱脚その他の部材が立設された基台が、貫通部材の上端面に連結されるか又は一体に設けられており、その基台下面が前記シール受け面とされている。
【発明の効果】
【００１８】
この発明によれば、筒状防水部が下方へずれるのを防止する位置決め部が、貫通部材の上端面に載置されるため、筒状防水部が経年により収縮したとしても、その筒状防水部の上端を下方へずれないように一定の高さに保持できる。従って、筒状防水部の上端部に付着したシーリング材は、筒状防水部の収縮に伴って下方へ引っ張られる恐れがなく切れ目が発生しにくいため、シーリング施工の防水性能を高めることができる。しかも、ステンレス製のバンド等による筒状防水部上端の固定作業が必ずしも必要でなくなるため、施工性の向上、コストの低減化及び意匠性の向上を図ることができる。
【００１９】
また、シーリング材は、シール受け面と貫通部材上端面との間の間隙に充填されているため、十分なシーリング深さを確保することができる。それゆえ、シーリング材の切れ目がさらに生じにくくなるため、シーリング部分の防水性を一層高めることができる。
【００２０】
さらに、筒状防水部が上下の筒状防水部により構成され、上側筒状防水部が下側筒状防水部の少なくとも上端部に外嵌されており、上側筒状防水部の下端部と下側筒状防水部の上端部とが重なった状態で、それら筒状防水部によって貫通部材の外周面が覆われているため、経年による収縮が生じたとしても、それら上下の筒状防水部間に隙間が生じることを防ぐことができ、貫通部材外周面を露出させることなく確実に覆うことができる。
【００２１】
また、射出成形等により、上側筒状防水部と位置決め部とが一体に形成され、下側筒状防水部とフランジ部とが一体に形成されているため、現場での加工作業を省略して施工性を向上させることができるとともに、施工業者の技量に左右されることなく、簡単で確実な防水施工が可能となる。
【発明を実施するための最良の形態】
【００２２】
以下、この発明の実施形態を図面に基づいて詳細に説明する。図１には、例えば陸屋根住宅の屋上において、アンテナ設置用のアンテナ支線を取り付けるための支柱(１)が示されている。この支柱(１)は、屋根の上面に敷設された防水シート(14)を貫通して設けられている。
【００２３】
この建物では、例えばＡＬＣ板その他のコンクリート板からなる屋根材(12)が、例えばＨ形鋼からなる小屋梁(10)の上フランジ(11)上面に支持されている。屋根材(12)の上面には断熱材(13)が設けられており、その断熱材(13)の上面に防水シート(14)が敷設されている。防水シート(14)は、例えば塩化ビニル樹脂その他の合成樹脂からなっており、支柱(１)が貫通する開口部(15)が形成されている。
【００２４】
支柱(１)は、例えば小屋梁(10)に取り付けられる取付け部(８)と、その取付け部(８)より立ち上がって防水シート(14)を貫通する貫通部材としての支柱本体(２)と、その支柱本体(２)の上側に設けられたアンテナ支線取付け用の取付金具(５)とを備えている。
【００２５】
取付け部(８)は、上下一対の水平プレート(16)(17)と、これら上下の水平プレート(16)(17)間に跨る垂直プレート(18)とを備えている。また、上下の水平プレート(16)(17)間に跨って、複数のリブプレート(19)(19)…が設けられている。これらリブプレート(19)(19)…は、それぞれ垂直プレート(18)の側面より同一方向に向かって張り出すようにして設けられている。この取付け部(８)は、下側の水平プレート(17)と小屋梁(10)の上フランジ(11)とがボルト(20)(20)とナット(21)(21)で緊結されることによって、小屋梁(10)に固定されている。ただし、取付け部(８)の構成は特に限定されないものとし、また、小屋梁(10)以外の部材に固定するようにしても良いものとする。
【００２６】
支柱本体(２)は、例えば円筒状の立上がり部(６)と、その立上がり部(６)の上端開口を塞ぐ天板部(７)とからなっている。立上がり部(６)は、取付け部(８)の上側水平プレート(16)上面より立ち上がるようにして設けられている。天板部(７)は、例えば円形のプレート状に形成されている。これら立上がり部(６)と天板部(７)とは例えば金属からなっており、天板部(７)下面の周縁部が、立上がり部(６)の周壁上端面に例えば溶接により連結されている。ただし、支柱本体(２)の形状は特に限定されるものではなく、角柱状その他の形状であっても良いものとする。
【００２７】
支柱本体(２)の上側には、基台支持部(３)を介して基台(４)が連結されている。基台(４)は、図２に示すように、例えば金属製の円形プレートからなっている。ここで、基台(４)の外径は、支柱本体(２)の外径と略等しくなっている。ただし、基台(４)の形状は特に限定されるものではなく、矩形その他の形状であっても良いものとする。
【００２８】
基台支持部(３)は、垂直方向に沿って配置された例えば丸鋼からなっており、支柱本体(２)上端面と基台(４)下面とに跨って設けられている。基台支持部(３)は、支柱本体(２)の天板(７)と基台(４)とに、それぞれ例えば溶接により連結されている。ただし、基台(４)と基台支持部(３)とを一体に設けても良く、さらに、基台(４)及び基台支持部(３)を、支柱本体(２)と一体に設けるようにしても良いものとする。
【００２９】
基台(４)の上面には、取付金具(５)が立設されている。取付金具(５)は、丸鋼をアーチ状に湾曲させて形成され、その丸鋼の両端面が基台(４)上面に例えば溶接により固定されている。この取付金具(５)には、アンテナ支線のワイヤーが取り付けられるようになっている。
【００３０】
支柱本体(２)には、上下一対の防水部材(25)(30)が取り付けられている。これら防水部材(25)(30)は、例えば塩化ビニル樹脂その他の合成樹脂からなっており、防水シート(14)と同様の材質が用いられている。また、これら防水部材(25)(30)は、工場等において射出成形されたものであり、現場加工を必要としないため容易に施工できるようになっている。
【００３１】
下側の防水部材(25)は、防水シート(14)上面より立ち上がる例えば円筒状の下側筒状防水部(26)と、その下側筒状防水部(26)の周壁下端より外方に向かって張り出すフランジ部(27)とが一体に形成されてなっている。ただし、下側筒状防水部(26)の形状は、筒状であれば特に限定されるものではなく、支柱本体(２)の形状に適応するような形状であれば良いものとする。
【００３２】
下側筒状防水部(26)は、防水シート(14)上面から支柱本体(２)上端のやや下方までの高さにおいて、支柱本体(２)に外嵌されるようになっている。フランジ部(27)の下面は、防水シート(14)上面に載置された状態で、防水シート(14)上面の開口部(15)周縁部に例えば接着により固定されている。
【００３３】
上側の防水部材(30)は、下側筒状防水部(26)の上端部と支柱本体(２)上端部とに外嵌される例えば円筒状の上側筒状防水部(31)と、その筒状防水部(31)の周壁上端部より内方に向かって突設された位置決め部(32)とが一体に形成されてなっている。ただし、上側筒状防水部(31)の形状は、筒状であれば特に限定されるものではなく、支柱本体(２)及び下側筒状防水部(26)の形状に適応するような形状であれば良いものとする。
【００３４】
上側筒状防水部(31)は、下側筒状防水部(26)の上端部外周面を覆うとともに、その下側筒状防水部(26)上端より上側において、支柱本体(２)の外周面を覆うようになっている。
【００３５】
これにより、防水シート(14)上面より上側の露出部分において、支柱本体(２)外周面は、上下の筒状防水部(26)(31)によって完全に覆われるようになっている。しかも、下側筒状防水部(26)の上端部と、上側筒状防水部(31)の下端部とが重なった状態で、それら筒状防水部(26)(31)が支柱本体(２)に外嵌している。従って、それら筒状防水部(26)(31)が経年によって収縮したとしても、上下の筒状防水部(26)(31)間に隙間が生じないため、支柱本体(２)外周面が露出しないようになっている。
【００３６】
なお、上側筒状防水部(31)は、下側筒状防水部(26)の少なくとも上端部に外嵌されていれば良いので、下側筒状防水部(26)の全部若しくは大部分に外嵌されることを妨げるものではない。
【００３７】
位置決め部(32)は、筒状防水部(31)上端より内向きにフランジ状に突出して形成されている。すなわち、位置決め部(32)の内側の先端には、例えば円形の開口部(33)が形成されており、この開口部(33)の内径は、支柱本体(２)上端部及び基台(４)の外径に比べてやや小径となっている。そして、設置状態において、位置決め部(32)は、支柱本体(２)の上端面に載置されており、筒状防水部(31)が下方へずれるのを防止できるようになっている。
【００３８】
シール受け面としての基台(４)下面と支柱本体(２)上面との間の間隙(35)には、シーリング材(36)が充填されている。なお、ここでは、基台(４)下面がシール受け面とされているが、シール受け面は、支柱本体(２)の上方に配置された下向きの水平面であれば良いものとし、例えば外壁の下端面等を、支柱本体(２)の上方に配置してシール受け面とすることも考えられる。
【００３９】
このようにシーリング材(36)を充填できるような間隙(35)を形成することにより、十分なシーリング深さを確保することができ、シーリング材(36)に切れ目が発生しにくくなるため、防水性に優れたシーリング施工が可能となっている。
【００４０】
以上の設置状態において、防水シート(14)上面より上側の露出部分における支柱本体(２)と、その支柱本体(２)が貫通する防水シート(14)の開口部(15)とは、上下の防水部材(25)(30)とシーリング材(36)によって完全に覆われることになり、支柱(１)貫通部の水密性が確保されるようになっている。しかも、位置決め部(32)の作用により、上側筒状防水部(31)が下方にずれることがなく、シーリング材(36)が下方に引っ張られる恐れがないため、シーリング材(36)に切れ目が入りにくくなっており、シーリング部分の防水性能が高まっている。
【００４１】
次に、支柱本体(２)貫通部の防水処理を施す手順について簡単に説明する。図２に示すように、防水シート(14)を貫通して設置された支柱本体(２)に対して、先ず、下側の防水部材(25)と上側の防水部材(30)を順次取り付ける。下側の防水部材(25)は、支柱本体(２)に筒状防水部(26)を外嵌させながら、フランジ部(27)下面を防水シート(14)上面に接着して取り付ける。続いて、支柱本体(２)に対して、その上側から上側防水部材(30)の筒状防水部(31)を外嵌させる。このとき、上側防水部材(30)は、その上端の位置決め部(32)の下面が基台(４)上面に引っ掛かってしまうが、そのまま弾性変形させながら下方へ押し込むと、位置決め部(32)と基台(４)との掛かりが外れて、図４に示すように、支柱本体(２)の上端面に位置決め部(32)が載置された状態となる。この状態において、基台(４)下面と支柱本体(２)上端面との間の間隙(35)に、図５に示すようにシーリング材(36)を充填することで、支柱本体(２)貫通部の防水処理が完了する。
【００４２】
ただし、上側防水部材(30)は、図３(ａ)に示すように、その周壁部の一箇所を軸方向に沿って切断してから施工するようにしても良い。この場合は、下側防水部材(25)が取り付けられた状態の支柱本体(２)に対して、上側防水部材(30)を巻き付けてその切断端部同士を接着等により接合することにより取り付ける。このように軸方向に沿った切れ目(37)を形成してから施工することにより、取付金具(５)若しくは基台(４)の大きさが、上側防水部材(30)上端の開口部(33)の内径よりも大きく、その開口部(33)内に取付金具(５)若しくは基台(４)を通すことが困難な場合でも、上側防水部材(30)の取付けが可能になる。
【００４３】
他方、下側防水部材(25)についても、図３(ｂ)に示すように、その周壁部の一箇所を軸方向に沿って切断してから施工するようにしても良い。この場合は、支柱本体(２)外周面に下側防水部材(25)を巻き付けて、その切断端部同士を補助部材(39)を介して接合することにより取り付ける。この補助部材(39)は、下側防水部材(25)全周のうちの一部と略同形状のものであり、下側防水部材(25)の切断端部間に跨って接着等により取り付けられる。この補助部材(39)を取り付けることにより、下側防水部材(25)における軸方向に沿った切れ目(38)部分の隙間が塞がれるようになっている。
【００４４】
このように、上下の防水部材(25)(30)の施工は、切れ目(37)(38)を設けずに上方から嵌め込むようにしても良いし、切れ目(37)(38)を設けておいてから巻き付けて接合するようにしても良い。なお、下側防水部材(25)は切れ目(38)を設けずに施工して、上側防水部材(30)についてのみ切れ目(37)を設けてから施工するようにしても良い。また、逆に下側防水部材(25)についてのみ切れ目(38)を設けてから施工するようにしたり、上下両方の防水部材(25)(30)ともに切れ目(37)(38)を設けてから施工するようにしても良いものとする。
【００４５】
図６は、この発明に係るその他の実施形態を示している。この実施形態において、支柱本体(２)は、例えば屋上バルコニーにおける床の上面に敷設された防水シート(41)を貫通して設けられている。そして、上記の取付金具(５)に代えて、バルコニーの控え柱(40)が設けられている。この控え柱(40)は、基台(４)上に立設された例えば断面略ロ字形の鋼材からなっている。控え柱(40)下端面と基台(４)上面とは、例えば溶接により連結されている。
【００４６】
なお、この実施形態において、その他の構成及び効果は前記実施形態と同様であり、図６において、前記実施形態と同様の機能を有する部材については同符号を付してある。
【００４７】
このように、基台(４)上に立設される部材は特に限定されるものではなく、支柱(１)の用途に応じた部材を立設するようにすれば良いものとする。上記の取付金具(５)や控え柱(40)以外の部材としては、例えば、太陽光発電パネルその他の各種架台の柱脚、又は屋上に登るための梯子を取り付けるための取付金具等が考えられる。
【００４８】
この発明は、上記実施形態に限定されるものではなく、この発明の範囲内で上記実施形態に多くの修正及び変更を加え得ることは勿論である。例えば、上記実施形態では、上記の各種支柱について説明したが、屋根若しくは床の上面に敷設された防水シート(14)を貫通して設けられるものであれば、支柱以外の貫通部材にこの発明を適用するようにしても良い。
【図面の簡単な説明】
【００４９】
【図１】この発明の一実施形態に係る支柱の防水構造を示す断面図である。
【図２】同じくその分解斜視図である。
【図３】切れ目を入れて施工する場合の防水部材を示す斜視図である。
【図４】上下の防水部材を取り付けた状態を示す斜視図である。
【図５】同じくその斜視図である。
【図６】その他の実施形態における支柱を示す斜視図である。
【図７】従来の防水構造を示す断面図である。
【符号の説明】
【００５０】
(１)  支柱
(２)  支柱本体
(４)  基台
(５)  取付金具
(14)(41)  防水シート
(26)  下側筒状防水部
(27)  フランジ部
(31)  上側筒状防水部
(32)  位置決め部
(35)  間隙
(36)  シーリング材
(40)  控え柱
【図１】
2005213921.tif 000003
【図２】
2005213921.tif 000004
【図３】
2005213921.tif 000005
【図４】
2005213921.tif 000006
【図５】
2005213921.tif 000007
【図６】
2005213921.tif 000008
【図７】
2005213921.tif 000009